【事件の表示】
　特願２０１１−１７６８９２「試験測定装置及びイベント検索方法」拒絶査定不服審判事件〔平成２４年　３月　１日出願公開、特開２０１２−　４２４６８、請求項の数（２）〕について、次のとおり審決する。
【結　論】
　原査定を取り消す。
　本願の発明は、特許すべきものとする。
【理　由】
第１　手続の経緯　
特許出願：　平成２３年８月１２日
（パリ条約による優先権主張２０１０年８月１３日、米国）
拒絶査定：　平成２８年４月１８日（送達日：同年同月２６日）
拒絶査定不服審判の請求：　平成２８年８月２５日 
手続補正：　平成２８年８月２５日
拒絶理由通知：　平成２９年５月８日
（以下、「当審拒絶理由」という。発送日：同年同月９日）
手続補正：　平成２９年８月１日（以下、「本件補正」という。）
意見書：　　平成２９年８月１日
第２　本願発明
　本願請求項１−２に係る発明（以下、それぞれ「本願発明１」−「本願発明２」という。）は、本件補正により補正された特許請求の範囲の請求項１−２に記載された事項により特定されるものと認められるところ、本願発明は以下のとおりの発明である。
「【請求項１】
　被試験無線周波数信号を受ける入力端子と、
　上記被試験無線周波数信号をデジタル化するアナログ・デジタル・コンバータと、
　デジタル化した上記被試験無線周波数信号からＩ（同相）及びＱ（直交）ベースバンド成分情報を生成するデジタル・ダウン・コンバータと、
　デジタル化した上記被試験無線周波数信号に関する上記Ｉ及びＱベースバンド成分情報の１つ以上のレコードを蓄積する取込みメモリと、
　上記Ｉ及びＱベースバンド成分情報を用いて１つ以上のＩＱベース時間領域トレースを生成すると共に、上記Ｉ及びＱベースバンド成分情報の個別のトレースを生成するトレース生成部と、
　１つ以上のイベントを探すために１つ以上の上記ＩＱベース時間領域トレースをスキャンすると共に、上記Ｉベースバンド成分情報の上記個別のトレース又は上記Ｑベースバンド成分情報の上記個別のトレースをスキャンして１つ以上のイベントを探し、１つ以上の上記イベントにマークを付ける検索ユニットと、
　１つ以上の上記ＩＱベース時間領域トレースに関する１つ以上のマークされた上記イベントの位置又はその周辺の関心ある区間を表示する表示ユニットと
　を具える試験測定装置。
　　【請求項２】
　ＩＱベース時間領域トレース中のイベントを検索する方法であって、
　試験測定装置の端子において被試験無線周波数信号を受けるステップと、
　アナログ・デジタル・コンバータを用いて上記被試験無線周波数信号をデジタル化するステップと、
　デジタル化した上記被試験無線周波数信号をダウン・コンバートしてＩ（同相）及びＱ（直交）ベースバンド成分情報を生成するステップと、
　上記被試験無線周波数信号に関する上記Ｉ及びＱベースバンド成分情報のレコードを取込みメモリ中に蓄積及び取込むステップと、
　上記取込みメモリ中に蓄積された上記Ｉ及びＱベースバンド成分情報を用いて、上記Ｉ及びＱベースバンド成分情報の個別のトレース並びに１つ以上のＩＱベース時間領域トレースを生成するステップと、
　１つ以上のイベントを探すために１つ以上の上記ＩＱベース時間領域トレースを検索するステップと、
　１つ以上の上記イベントにマークを付けるステップと、
　１つ以上の上記ＩＱベース時間領域トレースに関する１つ以上のマークされた上記イベントの位置又はその周辺の関心ある区間を表示するステップと
　を具えるイベント検索方法。」
第３　引用文献、引用発明等
１．引用文献１について
　原査定の拒絶の理由に引用された引用文献１（特表２００２−５０６９７５号公報）には、図面とともに次の事項が記載されている。（下線は当審による。以下同様。）
「    【０００７】
  この技術上のギャップを埋めるために、変調領域アナライザのような電子カウンタが開発されている。これらの装置は、信号の１次測定値、即ち信号の１セットのしきい値を横切る時間を検出し、次に信号の周波数、位相、または時間間隔のような１次測定値から取得されたパラメータを時間の関数としてプロットする。例えば、時間に対する周波数／位相分析は、周波数シフトキーおよび位相シフトキーによりそれぞれ変調された伝送を分析するのに極めて有用であり、時間間隔分析はパルス幅変調された信号を分析するのに有用である。」
「     【００１０】
  一般に、本発明の一構成によれば、デジタルオシロスコープに情報を呈する方法を特徴とする。この方法では、信号の１次測定値を作り出す。通常の場合、これは、電圧信号を時間の関数として測定するが、電圧は、別の経時的に変化する現象、例えば電流、加速信号、またはなんらかの変換された信号を示すことができる。１次測定値からのデータは、次に時間の関数として表示される。一実施形態では、水平軸表示は時間をあらわす。本発明によれば、信号のパラメータは、また１次測定データに基づいて得られる。これらの取得パラメータは、次に表示画面上に時間の関数として表示される。好ましい実施形態では、１次測定値および取得パラメータは、共通の時間軸を用いて共通の表示画面上に表示される。」
「      【００１５】
  一般に別の構成によれば、本発明は、またデジタルオシロスコープの動作の方法を特徴とする。この方法では、所定の時間間隔で繰り返し信号をサンプリングしてデジタル化し、デジタル化により生成されたデータを記憶する。パラメータは、これら１次測定値から算出される。取得パラメータは、次にオシロスコープに時間の関数として表示される。このようにして時間に基づくパラメータが、直接デジタル１次測定データから計算される。」
「      【００１８】
  特定の実施形態では、ローカルメモリは、記憶場所のアレーを備える。１次測定データおよび取得パラメータは、別個のアレーに記憶されるが、その際にプロセッサは、これら類似する暫定的な構成を持つように、アレーを再度関連付けることができる。すなわち、データ処理装置は、特定の場所の取得パラメータを、その取得パラメータを出現させた１次測定データに関連付けることができる。好ましくは、取得パラメータを保持するアレーは、信号表示のために行われるズーム操作のようなスケーリング操作を容易にするために、埋め込まれている。」
「      【００３９】
  図１２は、本発明の
オシロスコープ
４つのポート１１４Ａ〜１１４Ｄは、オシロスコープの４つの並列チャネル１３０Ａ〜１３０Ｄに対する入力を与える。
アナログ・デジタルコンバータＡＤＣ１〜４  １３６
アナログ・デジタルコンバータのデジタル出力は
波形メモリ１〜４  １３８に記憶される。
      【００４０】
  一実施形態において、サンプル・ホールド回路１３４、アナログデジタルコンバータ１３６、および波形メモリ１３８は、トリガー１４２がアーミング（発火準備）されるだけで、プローブによりポート１１４Ａ〜１１４Ｄに送られる信号の電圧を示すデータを連続的にフリーズし、デジタル化し、記憶する。波形メモリ１３８は、円形バッファの形でアドレス指定される。トリガー条件が見つけられた後においてのみトリガー１４２およびタイムベース１４０は、波形メモリの内容を保持し、これにより波形をトリガーイベントでサンプリングする。
      【００４１】
  中央処理装置（ＣＰＵ）１５０は、オシロスコープ１００の全動作をコントロールする。特に
チャネル１３０Ａ〜１３０Ｄの波形メモリ１３８において捕捉されたデータは、
ローカルメモリ１５２に
送られる。
      【００４２】
  
オペレータのコントロールの下で、ＣＰＵ１５０は処理用にローカルメモリスロット♯１から♯８におけるデータを選択してビデオフレームバッファ１５４に送る。
このデータは、次に例えば非線形補間技法、ｓｉｎ（ｘ）／ｘ、またはキュービック補間を用いて処理され、生じた表示データはビデオバッファ１５４に送られて、表示画面１１０に渡される。
　したがって、上記引用文献１には次の発明（以下、「引用発明１」という。）が記載されていると認められる。
「オシロスコープの４つの並列チャネル１３０Ａ〜１３０Ｄに対する入力を与える、４つのポート１１４Ａ〜１１４Ｄと、
　アナログ・デジタルコンバータＡＤＣ１〜４  １３６と、
　アナログ・デジタルコンバータのデジタル出力が記憶される波形メモリ１〜４  １３８と、（【００３９】）
　チャネル１３０Ａ〜１３０Ｄの波形メモリ１３８において捕捉されたデータが送られる、ローカルメモリ１５２と（【００４１】）を備え、
　オペレータのコントロールの下で、ＣＰＵ１５０は処理用にローカルメモリスロット♯１から♯８におけるデータを選択してビデオフレームバッファ１５４に送り、このデータは、次に例えば非線形補間技法、ｓｉｎ（ｘ）／ｘ、またはキュービック補間を用いて処理され、生じた表示データはビデオバッファ１５４に送られて、表示画面１１０に渡される、（【００４２】）
　オシロスコープ。」
２．引用文献２について
　また、原査定の拒絶の理由に引用された引用文献２（特開昭６３−２６１１６６号公報）には、図面とともに次の事項が記載されている。
「サンプリングされた波形データ列（第１デジタル・データ列）は、直角変調器に入力し、複素波形データ列の実数成分及び虚数成分を表すデータ列が発生する。この複素波形データ列は、入力波形のデータ列に似た周波数スペクトラムを有するが、ｗ（但し、ｗは選択された周波数帯域の中心周波数）だけ減算された周波数領域のデータに変換される。従って、観測したい帯域に対応する複素波形データ列の周波数帯域の中心周波数は、略０Ｈｚになる。
　データ列の実数成分及び虚数成分は、データ整合用の低域通過フィルタ及び間引きフィルタを含む多段デジタル・フィルタによって処理され、この間引きフィルタが発生した所定の数の要素から成る出力データ列が取り込みメモリに記憶される。」（第２頁右下欄第１９行〜第３頁左上欄第１３行）
３．引用文献３について
　また、原査定の拒絶の理由に引用された引用文献３（特開２００６−１８６９９４号公報）には、図面とともに次の事項が記載されている。
「【０００２】
  図１は、本願出願人のテクトロニクス製ＷＣＡ２８０Ａ型、ＷＣＡ３８０型、ＲＳＡ２２００Ａ型及びＲＳＡ３３００Ａ型（非特許文献１）の如き実時間スペクトラム・アナライザ（ＲＴＳＡ：Real Time Spectrum Analyzer）である実時間試験測定機器の一形式の基本的なブロック図である。ＲＦ（無線周波数）信号がＲＦ信号調整回路５０に入力し、局部発振器５２からの局部発振器周波数と混合器（ミキサ）５４により混合されて、中間周波数（ＩＦ）信号に変換される。このＩＦ信号をＩＦフィルタ５６によりろ波し、アナログ・デジタル（Ａ／Ｄ）変換器５８によりデジタル化して、ＩＦ振幅／位相補正回路６０により、デジタル化したＩＦデータの振幅及び位相を補正する。直交信号発生器６２は、補正されたＩＦ信号からＩ（同相: In-phase）データ及びＱ（直角位相：Quadrature-phase）データを発生し、後での処理のため蓄積メモリ６６に蓄積する。これらＩ及びＱデータは、トリガ発生器６４にも入力される。トリガ事象を定義する特定条件に応じて、トリガ発生器６４は、トリガ信号を出力する。メモリ制御回路６８は、トリガ信号に応答して、定義トリガ事象（定義されたトリガ事象）をＲＦ信号内で囲むＩデータ及びＱデータ（Ｉ／Ｑデータ）を蓄積メモリ６６内に捕捉する。スペクトラム・アナライザによりモニタする周波数スペクトル内に定義事象（定義された事象）が生じるようにできる。かかる技術に関連した「周波数マスク」トリガの実施については、米国特許第５１０３４０２号明細書（特許文献１）又は対応する特開平２−４７５６１号公報（特許文献２）に記載されている。また、従来の時間領域トリガを用いて、従来のオシロスコープのように、モニタすべきＲＦ信号のパワー（又は電圧レベル）に基づいてトリガ信号を発生してもよい。」
「【００１７】
  上述の本発明は、同じ測定機器又はいくつかの他の測定機器により既に取り込まれたデータに適用してもよいし、ディスク上のデータ内の異常事象又は確認事象を探すために、ディスク上に蓄積されたデータ又はシミュレーションしたデータに適用してもよく、実時間処理及び後処理の両方に対して作用できる。実時間スペクトラム・アナライザについて上述したが、本発明のトリガ発生器及びデータ取込み方法は、オシロスコープ、ロジック・アナライザ、ネットワーク・アナライザなどのように実時間でデータを取り込む他の試験測定機器に用いて、入力信号の情報内容に関連した事象にてトリガをかけることができる。」
４．引用文献４について
　また、原査定の拒絶の理由に引用された引用文献４（特開２００３−３２９７０９号公報）には、図面とともに次の事項が記載されている。
「【００１２】
【課題を解決するための手段】本発明は、デジタル・オシロスコープ用の取込み装置であって；被試験信号を受ける入力端子（CH1〜CH4）と；入力端子に結合され被試験信号を受ける入力端を有し、被試験信号のデジタル・サンプルを出力端に発生するアナログ・デジタル変換器（５３１〜５３４／６３１〜６３４）と；入力端子に結合され被試験信号を受ける入力端を有し、被試験信号内の所定のトリガ・イベントに応答してトリガ信号を出力端に発生するトリガ回路（５２０／６２０）と；データ記録にて、被試験信号のデジタル・サンプルを蓄積する取込みメモリ（５５１〜５５４／６５１〜６５４）と；ポスト取込み動作モードにて蓄積されたデジタル・サンプルを試験し、蓄積されたデジタル・サンプルにおける所定イベントの検出に応答してイベント検出信号を発生し、蓄積されたデジタル・サンプルの所定量を取込みメモリから読み出して、オシロスコープの信号処理部分に処理及び表示用に伝送する処理回路（５６１〜５６４／６７０）とを具え；蓄積されたデジタル・サンプルの所定量がデータ記録の全体よりも少なく、イベント検出信号に時間的に関連していることを特徴とする。また、
本発明のデジタル・オシロスコープは
被試験信号を受ける入力端子（CH1〜CH4）と
被試験信号のデジタル・サンプルを出力端に発生するアナログ・デジタル変換器（５３１〜５３４）と
被試験信号のデジタル・サンプルを蓄積する取込みメモリ（５５１〜５５４）と
蓄積されたデジタル・サンプルにおける所定イベントの検出に応答してイベント検出信号を発生し、所定イベントに関するデータを含んだメモリ記憶位置の範囲を指示するメモリ・アドレス信号を発生する処理回路（５６１〜５６４）と
イベント検出信号及び上記メモリ・アドレス信号に応答して、蓄積されたデジタル・サンプルの所定量を取込みメモリから読み出し、オシロスコープの信号処理部分に
表示用に伝送するシステム・プロセッサ（６７０）とを具え
【００１３】上述のように、実時間デジタル・ストレージ・オシロスコープは、長時間にわたる記録データを取込みメモリに取込み、この長時間記録のデータを処理して所定イベントを検索する。かかる所定イベントの検出により、回路は、イベント検出信号を発生し、このイベントを囲む取込みフレームから成るデータを波形処理及び表示装置に供給する。異なる検索条件を用いて、記録データにわたって追加の検索を実行するために、長時間記録のデータを再生できる。よって、多数の波形を同時に表示できる。なお、各波形は、ユーザが定義した異なるイベントの結果として捕捉されたものである。スクリーン表示をプログラムして、異なる種類のイベントを表示できる。なお、異なる種類のイベントは、各波形におけるラント信号、オーバーシュート、又はパルス幅違反などである。また、各波形のラント信号などの如き同じ種類のイベントの多数の発生を表示するようにプログラムしてもよい。」
「【００３６】ポスト取込み検索イベント（異常）のいくつかの例は、次のようになる。
ジッタ（幅、立ち上がり、エッジなど）
エッジ：高
パルス幅：低
パルス振幅：最小
立ち上がり時間：最大
立ち下がり時間：最大
テレコム・シリアル・パターン：ＲＭＳ
テレコム・パケット認知：オーバーシュート＋−
波形（フィルタに一致）：ヒストグラム、stdev、平均、ピーク・ピーク
ラント：アイ・ダイアログ及びマスク・トリガ
波形比較：マスク限界
ピーク・ピーク：周波数
周期
【００３７】このリストは、可能性のあるトリガ・イベントの総てを含んではおらず、本発明の要旨は、これらトリガ・イベントを含むものであるがこれらに限定されるものではないことが当業者には明らかであろう。」
　したがって、上記引用文献４（段落【００１２】）には、次の発明（以下、「引用発明４」という。）が記載されていると認められる。
「被試験信号を受ける入力端子（CH1〜CH4）と、
　被試験信号のデジタル・サンプルを出力端に発生するアナログ・デジタル変換器（５３１〜５３４）と、
　被試験信号のデジタル・サンプルを蓄積する取込みメモリ（５５１〜５５４）と、
　蓄積されたデジタル・サンプルにおける所定イベントの検出に応答してイベント検出信号を発生し、所定イベントに関するデータを含んだメモリ記憶位置の範囲を指示するメモリ・アドレス信号を発生する処理回路（５６１〜５６４）と、
　イベント検出信号及び上記メモリ・アドレス信号に応答して、蓄積されたデジタル・サンプルの所定量を取込みメモリから読み出し、オシロスコープの信号処理部分に表示用に伝送するシステム・プロセッサ（６７０）と、
　を備えるデジタル・オシロスコープ。」
５．引用文献５について
　また、原査定の拒絶の理由に引用された引用文献５（特開平１１−５１９９０号公報）には、図面とともに次の事項が記載されている。
「【００１５】例えば図２に示すように、入力信号中の周波数ｆ1 〜ｆ2 の成分が選出手段２６により選出され、一方選出手段２７から入力信号中の周波数ｆ3 〜ｆ4 の成分が選出され、この選出成分は、デジタル信号に変換されてメモリ４７に連続的に書込まれている。図２Ｂに示すように入力端子１１の入力信号に突発性信号が発生すると、検波器３７の出力に図２Ｃに示すようにパルスが発生し、これにもとづき、トリガ生成手段３７から図２Ｄに示すようにトリガ信号が生成され、このトリガ発生で残留カウンタ４９が計数を開始し、予め設定した待ち時間の後に、残留カウンタ４９からメモリ書込み中止指令が図２Ｅに示すように発生してメモリ４７への書込みが停止される。よって図２Ｆに示すようにトリガ信号の発生を基準として、その前後における選出手段２７より選出信号がメモリ４７に書込まれることになる。なお突発性信号発生（図２Ｂ）からメモリ書込み停止までに測定機器自体の遅れが含まれるが、この遅れは予め知ることができるから、その分を考慮して、メモリ４７に対する停止指令を発生するようにする。
【００１６】このようにして得られたメモリ４７に記憶されている信号を読出し、演算部５３で例えばＦＦＴ演算処理し、その結果である周波数対時間対電力の関係を表示器１８に例えば図２Ｇに示すように表示する。この表示にトリガ信号発生時点にマーク５４を表示することにより、突発性信号の前後における例えばスプリアスの状態を観察することができる。電力は例えばその大きさに応じた色により表示させることができる。なお、当然のことであるが、帯域通過フィルタ３４の通過帯域は、イメージ周波数を除去すると共に、ＡＤ変換器４６のサンプリング周波数との関係でＦＦＴの際にエイリアスが生じないようにする。
【００１７】なお、トリガ信号は、ＡＤ変換器４１の最上位ビットが立てば発生させるようにすることもできる。また演算部５３を省略して、メモリ４７の記憶内容を読出し、制御部４２で演算部５３で行う演算を行ってもよい。図１に点線で示したようにメモリ４３を設ける場合はメモリ４３に対してもメモリ４７と同様な書込み制御を行い、そのメモリ４３の記憶信号を表示器１８に時間経過として表示することにより、突発性信号自体の波形を観測することもできる。この波形観測と演算部５３の演算結果の表示は、表示器１８の表示面を２分して同時に表示してもよい。」
６．引用文献６について
　また、原査定の拒絶の理由に引用された引用文献６（特開２００９−９２６６０号公報）には、図面とともに次の事項が記載されている。
「【００３９】
  図８は、被試験信号の一部がシグネチャとマッチするときを識別するために、マグニチュード・シグネチャとして変調シグネチャを用いる方法を示す。ステップ８１０に示すように、被試験信用にマグニチュード値を得る。これら値は、入力信号又はストレージ媒体から得ることができる。Ｉ−Ｑデータ値の如きいくつかの他のフォーマットに基づいてマ
グニチュード値を計算することにより、これらマグニチュード値を求めてもよいし、又は、直接的に提供できる。ステップ８２０にて、マグニチュード値をマグニチュード・シグネチャと比較する。本発明の実施例において、マグニチュード・シグネチャに関連するマグニチュード値をシフトし、各シフトにて比較を行って、マグニチュード値がしきい値内にマッチングするか否かを調べる。いくつかの実施例において、マグニチュード値をシフトする一方、他の実施例においては、マグニチュード・シグネチャをシフトする。点線で示すように、ステップ８２２及び８２４は、オプションである。ステップ８２２において、スケーリングを調整するので、マグニチュード値及びマグニチュード・シグネチャが同じスケールに近づく。これは、エラー計算を最小にするスケーリング値を計算することにより達成できる。シフト値は、マグニチュード・シグネチャの複数のマグニチュード値のいずれかに関連してもよい。同様に、ステップ８２４において、相対オフセットを計算する。例えば、エラーを計算し、それをしきい値と比較することにより比較動作を行うと、ステップ８３０は、被試験信号の一部がマグニチュード・シグネチャにマッチングしたことを示す。第１実施例において、トリガ信号を提供することにより、この指示を行う。別の実施例においては、マグニチュード・シグネチャに対応するマグニチュード値の一部にマーカを関係させて、この指示を行う。
【００４０】
  図９は、位相シグネチャの如き変調シグネチャを用いて、被試験信号の一部が直ぐにマッチングするときを識別する方法を示す。ステップ９１０に示すように、被試験信用の位相値を求める。これら値は、入力信号から、又は、ハード・ドライブ、ＵＳＢドライブ、フラッシュ・メモリなどの如き蓄積媒体から得ることができる。位相値は、直接得てもよいし、Ｉ−Ｑデータ値の如きいくつかの他のフォーマットに基づいた値を計算して求めてもよい。ステップ９２０にて、位相値を位相シグネチャと比較する。実施例において、位相値及び位相シグネチャを互いに直接比較して、エラー計算を実行する。別の実施例において、位相シグネチャを位相値から引いて、直線フィットを実行して、これら値を互いに比較する。本発明の実施例において、位相シグネチャに対して位相値をシフトし、各シフトの後に比較することにより、比較動作を実行して、マッチングがしきい値内であるか否かを調べる。いくつかの実施例において、位相値をシフトする一方、他の実施例では、位相シグネチャをシフトする。点線で示すように、ステップ９２２、９２４、９２６及び９２８は、オプションである。ステップ９２２において、変調の深さのスケーリングを調整して、良好な比較を行う。第１実施例において、位相シグネチャに関連したスケーリング値を調整する。第２実施例において、位相値に関連したスケーリング値を調整する。同様に、ステップ９２４及び９２６にて、相対周波数オフセット又は一定位相シフトを夫々計算する。再び、位相シグネチャ又は位相値のいずれかに関連して、これらを計算できる。いずれかの方法で、これら処理の結果としての位相値及び位相シグネチャの間の相対関係は、比較動作を行うのに用いるエラー計算を最小にする。ステップ９２８にて、適用する位相シグネチャに対応するマグニチュード・シグネチャに基づく重み係数を用いて、更にエラー計算を減らす。これには、信号対ノイズ比アーティファクトを減らす重み付けを提供する。例えば、エラーを計算し、それをしきい値と比較することにより、比較動作を行うと、ステップ９２０は、被試験信号の一部が位相シグネチャとマッチングしたことを指示する。第１実施例において、トリガ信号を発生することにより、この指示を行う。別の実施例では、位相シグネチャに対応する位相値の一部にマーカを関連させることにより、この指示を行う。
【００４１】
  上述の実施例では、ＡＳＩＣ、ＦＰＧＡ又は他のカスタム化した回路の如きハードウェアにて、実時間トリガを実現した。これをハードウェアにて実現することにより、実時間で比較を行え、トリガ信号を発生できる。これは、サンプルを逃すことなく、サンプル・レートを低下させることなく、トリガを発生できることを意味する。別の実施例において、これら構成及び動作を、プログラマブル・プロセッサで実行するソフトウェアにて実現できる。これらプロセッサは、例えば、汎用プロセッサ、デジタル信号プロセッサ、又は
ソフトウェアを実行できる他のプロセッサである。これにより、後処理分析では、変調シグネチャへのマッチングを識別できる。ハードウェアを用いてこの動作を実時間で実行する更に別の実施例では、トリガ発生器４０を用いて、後処理分析を行う。この実施例において、プロセッサ３２は、取込みメモリ３６又は他のストレージからデータをトリガ発生器４０に供給する。変調シグネチャに対するマッチングが見つかると、トリガ信号を用いて、蓄積心に関連したマーカを提供する。これは、図１０に示すように、メモリに直接トリガを書き込んで、又は、通信パス（図示せず）をプロセッサ３２に戻して、実現できる。」
７．引用文献７について
　また、原査定の拒絶の理由に引用された引用文献７（特表２００９−５１５１９９号公報）には、図面とともに次の事項が記載されている。
「【００１３】
  例えば、図１に示す電圧対時間視覚表現において、位置１２における波形１０上に配置された表示マーカにより（５マイクロ秒（μsec）、５ボルト）のリードアウトとなり、位置１４における波形１０上に配置されたマーカは、（２μ秒、０ボルト）のリードアウトとなってもよい。
【００１４】
  本発明のいくつかの実施例は、表示マーカに関連したマーカ構成を具えてもよい。図１に示す例では、表示マーカに関連したマーカ構成は、表示マーカが位置１２に表示されたときに、時間５マクロ秒に対応する時間領域値を含んでもよい。この時間領域値は、絶対時間基準でもよいし、又は、時間値に対応するインデックス値でもよい。表示マーカが位置１４にあると、マーカ構成は、時間値２マイクロ秒に対応する時間領域指標を含んでもよい。」
８．引用文献８について
　また、原査定の拒絶の理由に引用された引用文献８（特開平６−１６０４４５号公報）には、図面とともに次の事項が記載されている。
「【００４８】図１１はベクトルスペクトル解析結果を示す。ｄ  Ｆｒｅｑは図８に示した周波数時間変化記憶部３５の一つの画像メモリ３５Ａ，３５Ｂ……の何れかに記憶した一つのチャンネルの搬送波の中心周波数からの変移Δωi ，ｎを示している。またＰｈａｓｅは位相時間変化記憶部３７の画像メモリ３７Ａ，３７Ｂ，３７Ｃ…の何れかに記憶した一つのチャンネルの位相時間変化Δθi ，ｎを表示している。図１２は遅延検波解析結果を示す。
【００４９】この応用実施例によれば、各記憶部３２，３５，３７，３９に取込んだ各データはこの発明により提案した高分解能周波数分析装置ＨＲＳFFT に設けた累積器１２に累積した周波数領域データを利用して得たから、このデータは補間処理によって得られた真の線スペクトル成分だけで構成される。この結果例えばデータレートより充分に速いゆらぎ等によって拡散されているスペクトルを全く含まないから、真の伝送に供されるデータだけが表示器５に表示される。よって真の伝達特性を知ることができる利点が得られる。」
第４　対比・判断
１．本願発明１について
（１）対比・判断１
　本願発明１と引用発明１とを対比すると、次のことがいえる。
　まず、引用発明１における「オシロスコープの４つの並列チャネル１３０Ａ〜１３０Ｄに対する入力を与える、４つのポート１１４Ａ〜１１４Ｄ」と、本願発明１における「被試験無線周波数信号を受ける入力端子」とは、「被試験信号を受ける入力端子」である点で共通する。
　また、引用発明１における「アナログ・デジタルコンバータＡＤＣ１〜４  １３６」と、本願発明１における「上記被試験無線周波数信号をデジタル化するアナログ・デジタル・コンバータ」とは、「上記被試験信号をデジタル化するアナログ・デジタル・コンバータ」である点で共通する。
　次に、引用発明１における「アナログ・デジタルコンバータのデジタル出力が記憶される波形メモリ１〜４  １３８」と、本願発明１における「デジタル化した上記被試験無線周波数信号に関する上記Ｉ及びＱベースバンド成分情報の１つ以上のレコードを蓄積する取込みメモリ」とは、「デジタル化した上記被試験信号を蓄積する取込みメモリ」である点で共通する。
　さらに、引用発明１の「表示画面１１０」及び「オシロスコープ」は、それぞれ本願発明１における「表示ユニット」及び「試験測定装置」に相当する。
　したがって、本願発明１と引用発明１との間には、次の一致点、相違点があるといえる。
（一致点）
「被試験信号を受ける入力端子と、
　上記被試験信号をデジタル化するアナログ・デジタル・コンバータと、
　デジタル化した上記被試験信号を蓄積する取込みメモリと、
　表示ユニットと
　を具える試験測定装置。」
（相違点）
（相違点１）本願発明１において、入力端子が受けてデジタル化される信号は「無線周波数」信号であるのに対し、引用発明１においては該信号が「無線周波数」信号であるのか否かは不明である点。
（相違点２）本願発明１は「デジタル化した上記被試験無線周波数信号からＩ（同相）及びＱ（直交）ベースバンド成分情報を生成するデジタル・ダウン・コンバータ」という構成を備えるのに対し、引用発明１はそのような構成を備えていない点。
（相違点３）本願発明１は「デジタル化した上記被試験無線周波数信号に関する上記Ｉ及びＱベースバンド成分情報の１つ以上のレコードを蓄積する取込みメモリ」という構成を備えるのに対し、引用発明１は「アナログ・デジタルコンバータのデジタル出力が記憶される波形メモリ１〜４  １３８」を備えてはいるものの、そこに蓄積されるものは「デジタル化した上記被試験無線周波数信号に関する上記Ｉ及びＱベースバンド成分情報の１つ以上のレコード」とはされていない点。
（相違点４）本願発明１は「上記Ｉ及びＱベースバンド成分情報を用いて１つ以上のＩＱベース時間領域トレースを生成すると共に、上記Ｉ及びＱベースバンド成分情報の個別のトレースを生成するトレース生成部」という構成を備えるのに対し、引用発明１はそのような構成を備えていない点。
（相違点５）本願発明１は「１つ以上のイベントを探すために１つ以上の上記ＩＱベース時間領域トレースをスキャンすると共に、上記Ｉベースバンド成分情報の上記個別のトレース又は上記Ｑベースバンド成分情報の上記個別のトレースをスキャンして１つ以上のイベントを探し、１つ以上の上記イベントにマークを付ける検索ユニット」という構成を備えるのに対し、引用発明１はそのような構成を備えていない点。
（相違点６）本願発明１において、「表示ユニット」は「１つ以上の上記ＩＱベース時間領域トレースに関する１つ以上のマークされた上記イベントの位置又はその周辺の関心ある区間を表示する」とされているのに対し、引用発明１の「表示画面１１０」はそのような内容を表示するとはされていない点。
　本願発明１の内容に鑑み、上記相違点６について検討すると、上記相違点６に係る本願発明１の「表示ユニット」が「１つ以上の上記ＩＱベース時間領域トレースに関する１つ以上のマークされた上記イベントの位置又はその周辺の関心ある区間を表示する」という構成は、上記引用文献２ないし８には記載も示唆もされていない。
　したがって、上記相違点１ないし５について判断するまでもなく、本願発明１は、当業者であっても、引用文献１ないし８に基づいて容易に発明できたものとはいえない。
（２）対比・判断２
　本願発明１と引用発明４とを対比すると、次のことがいえる。
　まず、引用発明４における「被試験信号を受ける入力端子（CH1〜CH4）」と、本願発明１における「被試験無線周波数信号を受ける入力端子」とは、「被試験信号を受ける入力端子」である点で共通する。
　また、引用発明４における「被試験信号のデジタル・サンプルを出力端に発生するアナログ・デジタル変換器（５３１〜５３４）」と、本願発明１における「上記被試験無線周波数信号をデジタル化するアナログ・デジタル・コンバータ」とは、「上記被試験信号をデジタル化するアナログ・デジタル・コンバータ」である点で共通する。
　次に、引用発明４における「被試験信号のデジタル・サンプルを蓄積する取込みメモリ（５５１〜５５４）」と、本願発明１における「デジタル化した上記被試験無線周波数信号に関する上記Ｉ及びＱベースバンド成分情報の１つ以上のレコードを蓄積する取込みメモリ」とは、「デジタル化した上記被試験信号を蓄積する取込みメモリ」である点で共通する。
　さらに、引用発明４の「デジタル・オシロスコープ」は、本願発明１における「試験測定装置」に相当する。また、引用発明４は「蓄積されたデジタル・サンプルの所定量を取込みメモリから読み出し、オシロスコープの信号処理部分に表示用に伝送する」ものであるから、本願発明１の「表示ユニット」に相当する表示のための構成を有していることは明らかといえる。
　したがって、本願発明１と引用発明４との間には、次の一致点、相違点があるといえる。
（一致点）
「被試験信号を受ける入力端子と、
　上記被試験信号をデジタル化するアナログ・デジタル・コンバータと、
　デジタル化した上記被試験信号を蓄積する取込みメモリと、
　表示ユニットと
　を具える試験測定装置。」
（相違点）
（相違点１）本願発明１において、入力端子が受けてデジタル化される信号は「無線周波数」信号であるのに対し、引用発明４においては該信号が「無線周波数」信号であるのか否かは不明である点。
（相違点２）本願発明１は「デジタル化した上記被試験無線周波数信号からＩ（同相）及びＱ（直交）ベースバンド成分情報を生成するデジタル・ダウン・コンバータ」という構成を備えるのに対し、引用発明４はそのような構成を備えていない点。
（相違点３）本願発明１は「デジタル化した上記被試験無線周波数信号に関する上記Ｉ及びＱベースバンド成分情報の１つ以上のレコードを蓄積する取込みメモリ」という構成を備えるのに対し、引用発明４は「被試験信号のデジタル・サンプルを蓄積する取込みメモリ（５５１〜５５４）」を備えてはいるものの、そこに蓄積されるものは「デジタル化した上記被試験無線周波数信号に関する上記Ｉ及びＱベースバンド成分情報の１つ以上のレコード」とはされていない点。
（相違点４）本願発明１は「上記Ｉ及びＱベースバンド成分情報を用いて１つ以上のＩＱベース時間領域トレースを生成すると共に、上記Ｉ及びＱベースバンド成分情報の個別のトレースを生成するトレース生成部」という構成を備えるのに対し、引用発明４はそのような構成を備えていない点。
（相違点５）本願発明１は「１つ以上のイベントを探すために１つ以上の上記ＩＱベース時間領域トレースをスキャンすると共に、上記Ｉベースバンド成分情報の上記個別のトレース又は上記Ｑベースバンド成分情報の上記個別のトレースをスキャンして１つ以上のイベントを探し、１つ以上の上記イベントにマークを付ける検索ユニット」という構成を備えるのに対し、引用発明４はそのような構成を備えていない点。
（相違点６）本願発明１において、「表示ユニット」は「１つ以上の上記ＩＱベース時間領域トレースに関する１つ以上のマークされた上記イベントの位置又はその周辺の関心ある区間を表示する」とされているのに対し、引用発明４においてはそのような内容を表示するとはされていない点。
　本願発明１の内容に鑑み、上記相違点６について検討すると、上記相違点６に係る本願発明１の「表示ユニット」が「１つ以上の上記ＩＱベース時間領域トレースに関する１つ以上のマークされた上記イベントの位置又はその周辺の関心ある区間を表示する」という構成は、上記引用文献１ないし３、５ないし８には記載も示唆もされていない。
　したがって、上記相違点１ないし５について判断するまでもなく、本願発明１は、当業者であっても、引用文献１ないし８に基づいて容易に発明できたものとはいえない。
２．本願発明２について
　本願発明２は、本願発明１に対応する方法の発明であり、本願発明１の「表示ユニット」が「１つ以上の上記ＩＱベース時間領域トレースに関する１つ以上のマークされた上記イベントの位置又はその周辺の関心ある区間を表示する」に対応する構成を備えるものであるから、本願発明１と同様の理由により、当業者であっても、引用文献１ないし８に基づいて容易に発明できたものとはいえない。
第５　原査定の概要及び原査定についての判断
　原査定は、請求項１−４について上記引用文献１ないし８に基づいて、当業者が容易に発明できたものであるから、特許法第２９条第２項の規定により特許を受けることができないというものである。しかしながら、本件補正により補正された請求項１、２は、それぞれ「表示ユニット」が「１つ以上の上記ＩＱベース時間領域トレースに関する１つ以上のマークされた上記イベントの位置又はその周辺の関心ある区間を表示する」という事項、またはそれに対応する構成を有するものとなっており、上記のとおり、本願発明１、２は、当業者であっても、引用文献１ないし８に基づいて容易に発明できたものとはいえない。したがって、原査定を維持することはできない。
第６　当審拒絶理由について
１．特許法第３６条第６項第１号について
　当審では、請求項１の「１つ以上のイベントを探すために１つ以上の上記ＩＱベース時間領域トレースをスキャンすると共に、上記Ｉベースバンド成分情報の上記個別のトレース又は上記Ｑベースバンド成分情報の上記個別のトレースをスキャンして１つ以上のイベントを探す検索ユニットと」という点、及び請求項２の「上記取込みメモリ中に蓄積された上記Ｉ及びＱベースバンド成分情報を用いて、上記Ｉ及びＱベースバンド成分情報の個別のトレースを含む１つ以上のＩＱベース時間領域トレースを生成するステップと、」という点は発明の詳細な説明に記載されていないとの拒絶の理由を通知しているが、本件補正において、上記の点はそれぞれ「１つ以上のイベントを探すために１つ以上の上記ＩＱベース時間領域トレースをスキャンすると共に、上記Ｉベースバンド成分情報の上記個別のトレース又は上記Ｑベースバンド成分情報の上記個別のトレースをスキャンして１つ以上のイベントを探し、１つ以上の上記イベントにマークを付ける検索ユニットと、１つ以上の上記ＩＱベース時間領域トレースに関する１つ以上のマークされた上記イベントの位置又はその周辺の関心ある区間を表示する表示ユニットと」、及び「上記取込みメモリ中に蓄積された上記Ｉ及びＱベースバンド成分情報を用いて、上記Ｉ及びＱベースバンド成分情報の個別のトレース並びに１つ以上のＩＱベース時間領域トレースを生成するステップと、」と補正された結果、この拒絶の理由は解消した。
第７　むすび
　以上のとおり、本願発明１、２は、当業者が引用発明１及び引用文献２ないし８に記載された技術的事項に基づいて容易に発明をすることができたものではないし、また、引用発明４及び引用文献１ないし３、５ないし８に記載された技術的事項に基づいて容易に発明をすることができたものではない。
　したがって、原査定の理由によっては、本願を拒絶することはできない。
　また、他に本願を拒絶すべき理由を発見しない。
　よって、結論のとおり審決する。